(57)【要約】【課題】テーブル家具の収納機能やディスプレイ機能の向上を図るとともに、利用者個々の空間の居住性を高め、さらに、使用環境に応じた柔軟な配置を可能とすることにより、一般家庭や、飲食店、オフィス等における室内空間の有効利用を図る。【解決手段】テーブル家具１は、上部に開口を有する内部中空の収納部２と、収納部２の開口を覆うように配置され、水平方向にスライドする略円盤状のテーブル面３と、テーブル面３の周縁部に取り付けられ、周縁部に沿ってスライド移動可能な間仕切収納部４と、間仕切収納部４に収納可能に取り付けられ上下方向に出入れされる間仕切部５と、テーブル面３のガイド部６とを備えている。【選択図】      図１
2004313480.tif 000002
【特許請求の範囲】
【請求項１】
略円盤状のテーブル面と、
前記テーブル面の周縁部に取り付けられ、該周縁部に沿ってスライド移動可能な間仕切部を備えたことを特徴とするテーブル家具。
【請求項２】
前記間仕切部は、
前記テーブル面の周縁部に沿ってスライド移動可能な間仕切収納部に収納可能に取り付けられ上下方向に出入れされることを特徴とする請求項１に記載のテーブル家具。
【請求項３】
前記間仕部の側面は、隣接配置された他のテーブル家具の間仕切部の側面と突き合わせ可能となっていることを特徴とする請求項１又は２に記載のテーブル家具。
【請求項４】
上部に開口を有する内部中空の収納部と、
前記収納部の開口を覆うように配置され、水平方向にスライドするテーブル面と、
前記収納部の周縁部に回動可能に設けられるとともに、前記テーブル面の周縁部に回動可能に連結されたガイド部と
を備えたことを特徴とするテーブル家具。
【請求項５】
前記ガイド部は、
円弧状をなし、前記収納部に対して回動可能に設けられたレール部と、
前記レール部に沿ってスライドする第１のピンと、
前記第１のピンに回動可能に取り付けられたリンク部と、
前記リンク部の端部に取り付けられた第２のピンと、
前記第２のピンと、前記テーブル面とを回動可能に連結する連結部と
を備えたことを特徴とする請求項４に記載のテーブル家具。
【請求項６】
前記連結部は、前記第２のピンに対して着脱可能に設けられていることを特徴とする請求項５に記載のテーブル家具。
【請求項７】
前記収納部の外周において昇降可能に取付けられ、上昇された位置において前記テーブル面の外周に嵌合される環状部と、
前記環状部を、上昇させた位置で固定する固定手段と
を備えたことを特徴とする請求項４乃至６に記載のテーブル家具。
【請求項８】
請求項１乃至７に記載のテーブル家具を、任意の数だけ連設配置してなることを特徴とするテーブル家具集合体。
【発明の詳細な説明】
【０００１】
【発明の属する技術分野】
本発明は、一般家庭や飲食店、オフィス等で使用するテーブル家具及びテーブル家具集合体に関する。
【０００２】
【従来の技術】
一般家庭や、飲食店、オフィス等においては、その室内空間をより有効に活用できるように、省スペース化を図る必要がある。従って、テーブル家具についても、物を置いたり、作業したりという機能に加え、収納スペースやディスプレイとしての機能など、その多機能化が要求されている。
【０００３】
また、一般家庭や、飲食店、オフィス等においてテーブル家具は、空間内における利用者個々の居住空間を確保する役割を果たすことから、使用環境や、用途、利用者などの条件に応じて、その確保された空間の居住性を高める機能が要求される（例えば、特許文献１参照）。
【０００４】
【特許文献１】
特願平３−４２４５２号公報
【０００５】
【発明が解決しようとする課題】
しかしながら、一般家庭や飲食店、オフィス等にあっては、模様替えや配置換えなどによって、室内の使用環境が頻繁に変動するため、テーブル家具においても、その環境の変化に対応できるような柔軟性が必要となる。
【０００６】
そこで、本発明は以上の点に鑑みてなされたもので、テーブル家具の収納機能やディスプレイ機能の向上を図るとともに、利用者個々の空間の居住性を高め、さらに、使用環境に応じた柔軟な配置を可能とすることにより、一般家庭や、飲食店、オフィス等における室内空間の有効利用を図ることのできるテーブル家具及びテーブル家具集合体を提供することをその課題とする。
【０００７】
【課題を解決するための手段】
上記課題を解決するために、本発明は、略円盤状のテーブル面と、テーブル面の周縁部に取り付けられ、周縁部に沿ってスライド移動可能な間仕切部を備えたことを特徴とするテーブル家具である。
【０００８】
このような本発明によれば、略円盤状のテーブル面によって形成される居住空間を間仕切部により画成することができる。この間仕切部は、テーブル面の周縁に沿って移動可能であるため、当該テーブル家具の配置状況に応じて居住空間の画成形態を変更することができる。
【０００９】
上記発明において間仕切部は、テーブル面の周縁部に沿ってスライド移動可能な間仕切収納部に収納可能に取り付けられ、上下方向に出入れされることが好ましい。この場合には、間仕切部を上下方向に出し入れすることにより、隣接する居住空間との画成範囲を調節することができる。
【００１０】
上記発明においては、間仕切部の側面は、隣接配置された他のテーブル家具の間仕切部の側面と突き合わせ可能となっていることが好ましい。この場合には、隣接する間仕切部同士を付き合わせることにより、一方のテーブル家具から他方のテーブル家具にわたって連続する間仕切部を形成することができる。
【００１１】
また、本発明は、上部に開口を有する内部中空の収納部と、収納部の開口を覆うように配置され、水平方向にスライドするテーブル面と、収納部の周縁部に回動可能に設けられるとともに、テーブル面の周縁部に回動可能に連結されたガイド部とを備えたことを特徴とするテーブル家具である。
【００１２】
このような本発明によれば、テーブル面をスライド移動させることにより、収納部上部の開口を開放することができ、収納部への収納物の出し入れを容易に行うことができる。また、テーブル面を透明なガラス製とした場合には、収納部をディスプレイとして応用することが可能となり、居住空間を効果的に演出することが可能となる。さらに、本発明においてテーブル面は、ガイド部によりその移動方向及び移動範囲を規制することができるため、テーブル面の開閉時にテーブル面が落下するのを防止することができる。
【００１３】
上記発明においては、ガイド部は、円弧状をなし収納部に対して回動可能に設けられレール部と、レール部に沿ってスライドする第１のピンと、第１のピンに回動可能に取り付けられたリンク部と、リンク部の端部に取り付けられた第２のピンと、第２のピンと、テーブル面とを回動可能に連結する連結部とを備えることが好ましい。この場合には、テーブル面を水平移動させるように力を加えた場合、レールが回動され、これに伴い、第１のピン、リンク部、及び第２のピンがスライド及び回転しつつテーブル面をガイドすることができる。これにより、テーブル面を下方から支持しつつ、その移動方向及び移動範囲を適切に規制することができる。
【００１４】
上記発明においては、連結部は、第２のピンに対して着脱可能に設けられていることが好ましい。この場合には、テーブル面を載置することにより、テーブル面をガイド部に連結することができ、テーブル面自体を着脱可能とすることができ、当該テーブル家具のメンテナンスを容易なものとすることができる。
【００１５】
上記発明では、収納部の外周において昇降可能に取付けられ、上昇された位置においてテーブル面の外周に嵌合される環状部と、環状部を上昇させた位置で固定する固定手段とを備えることが好ましい。この場合には、環状部を上昇させてテーブル面の外周に嵌合し、この状態を固定手段で固定することにより、前記テーブル面を固定することができ、利用者の意図しないテーブル面の水平移動を防止することができる。
【００１６】
上記発明においては、テーブル家具を任意の数だけ連設配置してテーブル家具集合体を構成することができる。この場合には、上述したように、各間仕切収納部を、収納部の周縁において自由にスライドできるようにした場合には、任意の個数を集合させた場合であっても、その連設状態に応じて、間仕切の位置を調節することができ、利用環境に適応した居住空間の画成が可能となる。また、テーブル面をスライドさせて開閉可能とした場合には、個々の居住空間毎に収納スペースを設けることができ、室内空間を有効に活用することができる。
【００１７】
【発明の実施の形態】
（テーブル家具の基本構成）
本発明の実施形態について、図面を参照しつつ説明する。図１は、本実施形態に係るテーブル家具の概略構成を示す説明図である。
【００１８】
同図に示すように、本実施形態に係るテーブル家具１は、上部に開口を有する内部中空の収納部２と、収納部２の開口を覆うように配置され、水平方向にスライドする略円盤状のテーブル面３と、テーブル面３の周縁部に取り付けられ、周縁部に沿ってスライド移動可能な間仕切収納部４と、間仕切収納部４に収納可能に取り付けられ上下方向に出入れされる間仕切部５と、テーブル面３のガイド部６とを備えている。
【００１９】
収納部２は、脚部７を介して基台８に支持された内部中空の円柱状をなす部材であり、テーブル面３は、透明なガラス製の部材で構成されている。これにより、収納部２は、ディスプレイの機能を果たすことになる。すなわち、収納部２内に収納された収納物を、テーブル面３を通じて外部上方から視認することができる。なお、本実施形態では、図１に示すように、収納部２内の収納物を交換するため、収納部２内部に通ずる開口部２ｃが、その側面に設けられている。
【００２０】
また、本実施形態では、テーブル面３を透明なガラス製としたが、本発明はこれに限定されるものではなく、例えば、木製の板や金属板、アクリル等の合成樹脂製とすることもできる。
【００２１】
（間仕切収納部４の構成）
間仕切収納部４は、図２（ａ）及び（ｂ）に示すように、間仕切収納部４の本体に形成された溝部４ａ内に、間仕切部５が収納される。間仕切部５は、例えば、アクリルや金属板、紙など種々の材料で構成される薄板状の部材である。この間仕切部５の側部表裏には、図５（ｂ）に示すように、プレート材の一部を湾曲させて形成した一対のストッパー５１が取り付けられており、湾曲部の弾力により、溝部４ａ内を押圧し、溝部４ａ内壁との摩擦力によって、任意の高さ位置で停止できるようになっている。このような構成により、間仕切部５の垂直方向に伸縮することができ、居住空間の垂直方向の画成範囲を調節することができる。
【００２２】
図３に間仕切収納部の構成例を示す。ここでは、間仕切収納部を、収納部２の外周に２重に設けている。すなわち、外周側に固定間仕切収納部４２を設け、その内周に可動間仕切収納部４１を設ける。固定間仕切収納部４２は、収納部２の内枠２ａに直接固定されており、可動間仕切収納部４１は、スライド機構９を介して、収納部２の周方向にスライド移動可能となっている。このように、内周側の間仕切収納部を可動とすることにより、間仕切部５を収納部２の周方向に伸縮することができ、居住空間の水平方向の画成範囲を調節することができる。
【００２３】
このスライド機構９は、図３、図４（ａ）及び（ｂ）に示すように、断面がクランク形状をなし、収納部２の周方向に延設されるレール部９１と、このレール部９１に摺動可能に嵌合される断面Ｃ字状の摺動部９２を備えている。
【００２４】
摺動部９２は、半球部９５及び９４を有しており、半球部９５は、摺動部９２の上部フランジにおいて摺動部９２の内方に向けて突設されており、半球部９４は、摺動部９２の下部フランジにおいて摺動部９２の外方に向けて突設されている。これら半球部９５及び９４により、摺動部９２は、レール部９１と点接触することとなり、摺動部９２の摺動をスムーズなものとしている。
【００２５】
このような、スライド機構９により、図４（ｃ）に示すように、可動間仕切収納部４１は、収納部２の外周面に沿って、周方向にスライド移動することが可能となる。なお、本実施形態において、間仕切収納部４の側面は、隣接配置された他のテーブル家具の間仕切収納部４の側面と突き合わせ可能となっている。これについては後述する。
【００２６】
（ガイド部６の構成）
ガイド部６は、図５及び図６に示すように、収納部２の周縁部に回動可能に設けられるとともに、テーブル面３の周縁部に回動可能に連結された一対の機構である。すなわち、ガイド部６を収納部２から外方に向けて回動させることにより、テーブル面３が、ガイド部６に下方から支持されつつ、収納部２の径方向に向かって、水平に、スライド移動することとなる。
【００２７】
具体的に、このガイド部６は、図７（ａ）乃至（ｄ）に示すように、円弧状をなすレール部６１と、レール部に沿ってスライドするスライドピン６２と、スライドピン６２に回動可能に取り付けられたリンク部６３と、リンク部６３の端部に取り付けられたピン６４と、このピン６４をテーブル面３に回動可能に連結する連結部６５とから構成される。
【００２８】
レール部６１は、断面Ｃ字形の部材であり、その一端が、収納部２の切欠部２ｂに立設された軸部６６に軸支されているとともに、その内部に、スライドピン６２が嵌合されている。スライドピン６２は、ローラを有するピン部材であり、リンク部６３の一端に回転可能に挿通されている。なお、軸部６６は、切欠部２ｂ上面に二本対となるように立設され、これら一対の軸部６６は、その頭部において、プレート材６７で連結固定されている。なお、本実施形態においてレール部６１は、間仕切収納部４のスライド移動の障害とならない位置に配置されている。
【００２９】
リンク部６３は、その一端にスライドピン６２が挿通され、他端にピン６４が挿通されたプレート部材である。ピン６４は、リンク部６３に支持されて、レール部６１の外側で自由回動する部材であり、その頭部において、テーブル面３の下面に取り付けられた連結部６５が嵌合される。この連結部６５は、ピン６４に対して着脱可能に設けられており、テーブル面３をレール部６１上に載置することにより、テーブル面３の自重によって、ピン６４との嵌合状態を維持する。
【００３０】
このようなガイド部６によれば、図６に示すように、テーブル面３に対して、水平方向に移動させるように力を加えると、レール部６１が収納部２の側部から回動されて開脚され、これにより、スライドピン６２がレール部６１内を自由端部側に向けてスライド移動し、スライドピン６２に連結されたリンク部６３、ピン６４を介して、テーブル面３の移動方向が規制されることとなる。
【００３１】
これにより、テーブル面３をガイド部６により下方から支持しつつ、テーブル面３の移動方向をガイドすることができる。また、レール部６１の回転角度は、一対のレール部６１が相互に当接する位置までに限られるため、その回転角度が最大角度となる位置において、テーブル面３の移動が停止されることとなる。これにより、テーブル面３の移動量を制限することができ、テーブル面３が、移動しすぎて落下するのを防止することができる。そして、テーブル面３をスライド移動させることにより、収納部２の上部開口を開放することができ、収納部２内の収納物の出し入れが可能となる。
【００３２】
（脚部７の変更例）
なお、上述した実施形態では、脚部７を単なる円柱としたが、例えば、図８に示すように、その内部を収納スペースとして利用することもできる。すなわち、脚部７を内部中空の円筒状とし、その内部に棚７ｂを配設して収納スペースを画成するとともに、脚部７の側部に、各収納スペースに対応した開口部７ａを設けてもよい。
【００３３】
（テーブル家具集合体）
以上の構成を有するテーブル家具１を複数連設配置して、テーブル家具集合体を構成することができる。図９は、本実施形態に係るテーブル家具集合体の構成を示す斜視図である。
【００３４】
同図（ａ）に示すように、任意個数のテーブル家具１を、任意に位置に隣接配置する。そして、同図（ｂ）または（ｃ）に示すように、隣接するテーブル家具１の各間仕切収納部４の側部を付き合わせる。これにより、隣接するテーブル家具１により形成される個々の居住区間を画成することができる。なお、上述したように、各間仕切収納部４は、収納部２の周縁において自由にスライドするため、任意の個数を集合させた場合であっても、その連設状態に応じて、間仕切部５の位置を調節することができ、利用環境に適応した居住空間の画成が可能となる。
【００３５】
（変更例）
なお、本発明は、上述した実施形態に限定されるものではなく、以下のような変更を加えることができる。
【００３６】
（１）変更例１
上述した実施形態では、ガイド部６を、レール部６１と、スライドピン６２と、リンク部６３と、ピン６４と、連結部６５とから構成したが、例えば、図１０（ａ）〜（ｃ）に示すように、リンク部６３及びピン６４を省略した構成とすることもできる。具体的には、ガイド部６を、円弧状をなし、その上面に溝部６８ａを有するレール部６８と、レール部６８の溝部６８ａに沿ってスライドし、テーブル面３に回動可能に連結されたスライドピン６９とから構成する。スライドピン６９は、上述したピン６４と同様に、その頭部において、テーブル面３の下面に取り付けられた連結部６５が嵌合される。
【００３７】
このような本変更例に係るガイド部６では、テーブル面３を水平方向に移動させるように力を加えると、レール部６８が、収納部２の側部から回動されて開脚され、これにより、スライドピン６９が溝部６８ａ内を端部側に向けてスライド移動し、スライドピン６９に連結された連結部６５を介して、テーブル面３の移動方向が規制されることとなる。このような本変更例に係るガイド部６によれば、より簡単な構成により、テーブル面３を下方から支持しつつ、テーブル面３の移動方向をガイドすることができる。
【００３８】
（２）変更例２
また、上述した実施形態における構成に加えて、テーブル面３のロック機構を設けてもよい。このロック機構は、図１１（ａ）〜（ｃ）に例示するように、収納部２の外周において昇降可能に取付けられ、上昇された位置においてテーブル面３の外周に嵌合される環状部１０と、環状部１０を上昇させた位置で固定する固定手段とから構成することができる。
【００３９】
環状部１０は、下降されるときには、ガイド部６の回動の障害とならない位置となり、上昇されるときには、ガイド部６を覆い、ガイド部６の回動を抑止する位置となるように昇降される。固定手段は、本変更例では、収納部２外周面に突設されたピン部１０ａと、環状部１０の内周面に設けられたＬ字形の溝部１０ｂとから構成される。なお、これらピン部と溝部とは、本変更例の構成に限られるものではなく、例えば、環状部１０の内周面側にピン部１０ａを突設させ、収納部２の外周面に溝部１０ｂを設けるようにしてもよい。
【００４０】
そして、この変更例に係るロック機構では、環状部１０を下降させた状態でテーブル面３を開閉する。そして、テーブル面３を収納部２の上方位置にスライド移動して、収納部２の開口部２ｃを閉塞した状態において、環状部１０を上昇させ、テーブル面３の外周に嵌合させる。このとき、ピン部１０ａは、溝部１０ｂ内を垂直方向に移動し、溝部１０ｂが、ピン部１０ａに対して相対的に上昇されることとなる。次いで、環状部１０を上昇させた状態で、環状部１０を小角度回転させる。これにより、ピン部１０ａは、Ｌ字形の溝部１０ｂ内底辺を水平方向に移動し、環状部１０の上昇状態が維持されることとなる。このように、ロック機構により、環状部１０の上昇状態を固定することによって、テーブル面３を固定することができ、利用者の意図しないテーブル面３の水平移動を防止することができる。
【００４１】
（３）変更例３
また、上述した実施形態及び変更例に係るテーブル家具は、例えば、以下のような店舗やオフィスにおける用途に供することができる。
【００４２】
・物販店の商品ディスプレイケース
・ペットショップなどにおける、熱帯魚などの水槽、は虫類、植物などのディスプレイケース、小動物の飼育器
・博物館や美術館における展示用ディスプレイテーブル
・水族館や動物園における展示用ディスプレイテーブル
・展示場、テーマパークにおける案内サインテーブルや展示用ディスプレイテーブル
なお、動植物を収納部２内に入れる場合には、必要に応じて、テーブル面３や収納部２に空気孔を開けることが好ましい。
【００４３】
【発明の効果】
以上説明したように本発明のテーブル家具及びテーブル家具集合体によれば、テーブル家具の収納機能やディスプレイ機能の向上を図るとともに、利用者個々の空間の居住性を高め、さらに、使用環境に応じた柔軟な配置を可能とすることにより、一般家庭や、飲食店、オフィス等における室内空間の有効利用を図ることができる。
【００４４】
【図面の簡単な説明】
【図１】実施形態に係るテーブル家具の全体構成を示す斜視図である。
【図２】実施形態に係る間仕切部の構成を示す断面斜視図である。
【図３】実施形態に係るスライド機構の構成を示す断面斜視図である。
【図４】実施形態に係るスライド機構の構成を示す説明図である。
【図５】実施形態に係るガイド部の構成を示す斜視図である。
【図６】実施形態に係るガイド部の駆動状態を示す上面図である。
【図７】実施形態に係るガイド部の構成を示す説明図である。
【図８】脚部の変更例を示す説明図である。
【図９】実施形態に係るテーブル家具集合体を示す斜視図である。
【図１０】変更例に係るガイド部の構成を示す説明図である。
【図１１】変更例に係るロック機構の構成を示す説明図である。
【符号の説明】
１…テーブル家具
２…収納部
２ａ…内枠
２ｂ…切欠部
２ｃ…開口部
３…テーブル面
４…間仕切収納部
４ａ…溝部
５…間仕切部
６…ガイド部
７…脚部
７ａ…開口部
７ｂ…棚
８…基台
９…スライド機構
１０…環状部
１０ａ…ピン部
１０ｂ…溝部
４１…可動間仕切収納部
４２…固定間仕切収納部
５１…ストッパー
６１、６８…レール部
６２、６９…スライドピン
６３…リンク部
６４…ピン
６５…連結部
６６…軸部
６７…プレート材
６８ａ…溝部
９１…レール部
９２…摺動部
９４，９５…半球部
【図１】
2004313480.tif 000003
【図２】
2004313480.tif 000004
【図３】
2004313480.tif 000005
【図４】
2004313480.tif 000006
【図５】
2004313480.tif 000007
【図６】
2004313480.tif 000008
【図７】
2004313480.tif 000009
【図８】
2004313480.tif 000010
【図９】
2004313480.tif 000011
【図１０】
2004313480.tif 000012
【図１１】
2004313480.tif 000013